(57)【要約】      （修正有）【課題】収納袋体を有する物入れ内に任意の幅寸法を有する物品を安定的に収納でき、かつ取扱い性や持ち運び性のよく、安価に形成される物入れ用セパレータを提供する。【解決手段】物入れの収納袋体内には本考案の物入れ用セパレータ１が挿入される。この物入れ用セパレータ１は鍔部１１を有するシート５，５をスライダ６によりその中間部を重合したものからなり、シート５，５はスライダ６によって左右の収納部１０，１０が形成される。この収納部１０の横幅をスライダ６の位置決めによって任意に選択することにより、物品の安定保持ができる。【選択図】図１
0003167365.tif 000002
【実用新案登録請求の範囲】
【請求項１】
横長の物品収納袋部を形成してなるカバン状又は手下げ状の物入れの前記収納袋部に挿脱されるセパレータであって、該セパレータは、前記収納袋部の横幅よりやや小寸の横幅を有する一枚のシート材を２つに折り曲げたものからなるシートと、該シートを挟み込むと共にシートの表面に沿って横幅方向に摺動可能に形成されるスライダとからなることを特徴とする物入れ用セパレータ。
【請求項２】
前記２枚の前記シートが、折り曲げられた前記シート材の開口部側に折り曲げ形成された鍔部を形成するものからなることを特徴とする請求項１に記載の物入れ用セパレータ。
【考案の詳細な説明】
【技術分野】
【０００１】
本考案はカバンや手下げ等の物入れであって、その内部に各種の物品を入れる収納袋部を一体的に形成してなる物入れの前記収納袋部の横幅を任意に選択的に変化させる物入れ用セパレータに関する。
【背景技術】
【０００２】
カバンや手下げ等の物入れの内部には物品を入れて出入自在に収納する収納袋部が一体的に形成されている。
図７はその一例を模式的に示すものである。図示のように物入れ２は外皮２ａと、外皮２ａの内部に一体的に形成されている収納袋体４からなり、本例では例えば４種の収納袋体４Ａ，４Ｂ，４Ｃ，４Ｄからなる。この収納袋体４Ａ等はその横幅が夫々同一又は相違するものからなり、本例では収納袋体４Ａと４Ｄは横幅がほぼ等しいものからなり、収納袋体４Ｂ，４Ｃは横幅の狭いものからなる。これ等の収納袋体４Ａ等の内部に収納される物品３が（図８に示す）、これ等の収納袋体４Ａ等の横幅とほぼ等しい場合には物品３は収納袋体４Ａ等の内部に安定的に収納され、その出入も容易に出来るが、例えば図８に示すように横幅の広い収納袋体４Ｄ（４Ａ）内に比較的横幅の狭い物品３が収納される場合には物品３は図示のように傾き、その収納が不安定になると共に物品３の取り出しが難しくなる。一方、物品３は各種のものがあり、この物品３の横幅に見合った収納袋部４を捜して物品３を収納することは面倒であり、かつ物品３に見合う収納袋体４がない場合も多い。そのため、外皮２ａ内に一体的に形成されている収納袋体４の横幅を任意に変えることができれば以上の問題点は解決される。
この問題点の解決の手段として各種の公知技術があるが、その中で比較的本考案に近い公知技術として「特許文献１」及び「特許文献２」が挙げられる。
【先行技術文献】
【特許文献】
【０００３】
【特許文献１】特開２００９−２６８５７８号（図９）
【特許文献２】特開２００９−１３１３８５号（図１）
【考案の概要】
【考案が解決しようとする課題】
【０００４】
「特許文献１」の「特開２００９−２６８５７８号」の「携帯用小物入れ」はボード（１）（外皮に相当するもの）に多数の縦の切り込み（２）を設け、この縦の切り込み（２）にその「図２」に示すような任意の寸法のポケットを有する箱体の糊代（２２）の分を挿入して糊付けするものであり、この前記ポケットの寸法を変化させることにより、それに見合う物品を挿入するようにしたものである。この形状により、前記の問題点は解決されるが、「図２」に示したポケットを有する箱体は立体的な形状のものからなり、この物を不必要時に保有することは実際上かさばって困難であり、かつこの箱体をその都度物入れに形成することは面倒であり、かつ一度糊着したものを交換することも難しい。即ち、取扱い性や持ち運び性の悪い問題点がある。
【０００５】
また、「特許文献２」の「特開２００９−１３１３８５号」の「カバン類に用いられる小物収納具」は、横幅の広い大ポケット（２５）に仕切用挟持具（５０）を挟め込んで大ポケット（２５）の横幅を変化させるものであり、物品の横幅に合わせた寸法のポケットを作ることができる。しかしながら、このものは大ポケット（２５）が仕切用挟持具（５０）が挟め込まれる形状のものにのみ適用されるものであり、挟め込みのできない形状のポケットには適用されない問題点がある。
【０００６】
本考案は、以上の事情に鑑みて考案されたものであり、任意の形状のポケットに適用でき、物品の寸法に見合う大きなポケットを容易に作成することができ、持ち運び性がよく、取扱い性もよく安価に実施できる物入れ用セパレータを提供することを目的とする。
【課題を解決するための手段】
【０００７】
本考案は、以上の目的を達成するために、請求項１の考案は、横長の物品の収納袋部を形成してなるカバン状又は手下げ状の物入れの前記収納袋部に挿脱されるセパレータであって、該セパレータは、前記収納袋部の横幅よりやや小寸の横幅を有する一枚のシート材を２つに折り曲げたものからなるシートと、該シートを挟み込むと共にシートの表面に沿って横幅方向に摺動可能に形成されるスライダとからなることを特徴とする。
【０００８】
また、請求項２の考案は、前記２枚の前記シートが、折り曲げられた前記シート材の開口部側に折り曲げ形成された鍔部を形成するものからなることを特徴とする。
【考案の効果】
【０００９】
本考案の請求項１の物入れ用セパレータによれば、セパレータは一枚のシート材に折り曲げ部を形成されるシートとスライダとを設けた簡便の構造のものからなり、収納袋部に容易に出入できると共に、スライダを移動させることによって横幅を任意に変更でき、所望の物品に見合った収納袋体を容易に形成でき、物品を安定的に収納できる効果を上げることができる。
【００１０】
また、本考案の請求項２の物入れ用セパレータによれば、鍔部が形成されることにより開口部側に空間部を形成し易くなると共にスライダの保持が確実にでき、物品の出入が容易にできる効果を上げることができる。
【図面の簡単な説明】
【００１１】
【図１】本考案におけるセパレータの全体構造を示す斜視図。
【図２】図１の上面図。
【図３】本考案におけるシートの形成方法と折り曲げられた形状を示す斜視図（ａ），（ｂ）。
【図４】スライダの斜視図。
【図５】本考案の物入れ用セパレータの使用状態を示す模式的正面図。
【図６】本考案の物入れ用セパレータを使用した物入れにおける物品の安定保持状態を示す模式的正面図。
【図７】物入れの収納袋体の一例を示す模式的部分斜視図。
【図８】従来の物入れの問題点を説明するための模式的正面図。
【考案を実施するための形態】
【００１２】
以下、本考案の物入れ用セパレータの実施の形態を図面を参照して詳述する。
【実施例】
【００１３】
図１，図２は本考案の物入れ用セパレータ１の全体構造を示す。
図示のように、物入れ用セパレータ１は折り曲げられて互に相対向して配設されるシート５，５と、このシート５，５の任意の中間部を挟持して重合させるためのスライダ６とから構成される。このシート５，５の材質は任意のものでよいが、例えばプラスチック材が使用される。また、シート５，５の面積は任意のものでよいが、図７に示す物入れ２の収納袋部４（４Ａ，４Ｂ，４Ｃ，４Ｄ等）の面積にほぼ等しいものが適用される。即ち、シート５，５はこれ等の収納袋部４に収納される横幅や面積を有するものが適用される。
また、シート５，５は物品３がシート５，５の間に収納され易いように、図１及び図２に示す如くその開口部側に鍔部１１を形成したものからなる。
【００１４】
図３（ａ），（ｂ）はシート５，５の作成方法を示すものである。シート５，５は図３（ａ）に示すように収納袋部４Ａ等の横幅にほぼ等しい又はやや狭い横幅ｂの一枚のシート材５Ａをその中間位置で折り曲げて図３（ｂ）に示すように空間部９を形成した形状に互に相対向した状態にしたものからなる。また、図（ａ），（ｂ）に示すようにシート材５Ａは予めその端部を折り込んで鍔部１１を形成したものからなる。
【００１５】
スライダ６は図４に示すような形状のものからなり、シート５，５を挟持して重合させるための幅ａの隙間１２を形成する枠体７と、枠体７の外側面に突出して形成される指当て部８等とからなる。なお、幅ａはシート５，５の重合された厚みよりやや大きな寸法のものからなり、指当て部８はこれに押圧された指が滑らないような凹凸部８ａを形成するものであることが望ましい。スライダ６を以上の形状のものから形成することにより鍔部１１が枠体７の内壁に押圧されてシート５，５を安全に重合させることができる。
【００１６】
次に、本考案の物入れ用セパレータ１の使用方法について説明する。図５はその一例を示すものであり、シート５，５はその中間部をスライダ６により重合され、スライダ６の両側には物品３の入る収納部１０が形成される。
【００１７】
この物入れ用セパレータ１は例えば図７の収納袋体４Ｄ内に挿入可能の寸法のものからなり、図５は物入れ用セパレータ１とこれが収納袋体４Ｄ内に挿入された状態を示すものである。物入れ用セパレータ１を収納袋体４Ｄに挿入することにより、図５に示すように収納袋体４Ｄは収納部１０，１０の２つの空間部を有する収納袋体となる。従って、図６に示すような収納部１０，１０とほぼ等しい幅寸法の物品３，３はこの収納部１０，１０に安定的に保持されることになる。
【００１８】
物入れ用セパレータ１のスライダ６の位置は任意のものでよく、挿入される物品３の幅寸法に対応して適宜選択することにより安定保持を望む任意の物品３に対応する収納部１０を形成することができる。
【００１９】
この物入れ用セパレータ１は前記のようにシート５，５とスライダ６とからなる簡便構造のもので持ち運びも容易にでき、かつ前記のように取扱い性も極めて簡単である。また、安価に形成することができる。
【００２０】
本考案の物入れ用セパレータ１は前記の説明の内容のものからなるが、本考案は前記の説明に限定されるものでよく、同一技術的範囲のものが適用されることは勿論である。
【産業上の利用可能性】
【００２１】
本考案の物入れ用セパレータは物品を収納するすべての物入れに適用可能であり、その利用範囲は極めて広い。
【符号の説明】
【００２２】
１    物入れ用セパレータ
２    物入れ
２ａ  外皮
３    物品
４    収納袋部
４Ａ  収納袋部
４Ｂ  収納袋部
４Ｃ  収納袋部
４Ｄ  収納袋部
５    シート
５Ａ  シート材
６    スライダ
７    枠体
８    指当て部
８ａ  凹凸部
９    空間部
１０  収納部
１１  鍔部
１２  隙間
【図１】
0003167365.tif 000003
【図２】
0003167365.tif 000004
【図３】
0003167365.tif 000005
【図４】
0003167365.tif 000006
【図５】
0003167365.tif 000007
【図６】
0003167365.tif 000008
【図７】
0003167365.tif 000009
【図８】
0003167365.tif 000010